【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】
光源から出射したレーザ光を反射するポリゴンミラーと、前記ポリゴンミラーにより反射された光の進行方向を変化させる折り返しミラーと、前記ポリゴンミラーと前記折り返しミラーとを有するスキャナユニットと、前記スキャナユニットを複数備える露光装置と、
前記露光装置から出射した複数の光がそれぞれ照射する複数の像担持体と、を有し、前記複数の像担持体が同一の鉛直面上に配列される画像形成装置において、
前記複数のポリゴンミラーと前記複数の折り返しミラーとが、前記複数の像担持体が配列される鉛直面と平行な同一の面上に配置されることを特徴とする画像形成装置。
【請求項２】
複数の光源から出射した複数の光をそれぞれ異なる方向へ反射する１つのポリゴンミラーと、前記１つのポリゴンミラーにより反射された光の進行方向をそれぞれ変化させる複数の折り返しミラーと、前記１つのポリゴンミラーと前記複数の折り返しミラーとを有するスキャナユニットと、前記スキャナユニットを２つ備える露光装置と、前記露光装置から出射した複数の光がそれぞれ照射する複数の像担持体とを有し、前記複数の像担持体が同一の鉛直面上に配列される画像形成装置において、
前記２つのスキャナユニットに備えられた前記ポリゴンミラーと前記複数の折り返しミラーとは、前記複数の像担持体が配列される鉛直面と平行な同一の面上に配置される
ことを特徴とする画像形成装置。
【請求項３】
前記複数の像担持体を有する複数の現像装置と、前記露光装置と前記複数の現像装置とが取り付けられる枠体とを更に有し、
前記枠体は、互いが平行に配置された一対の側板部と前記一対の側板部を連結する連結部とにより構成され、
前記一対の側板部は、前記複数の現像装置を鉛直方向において等間隔に配置するための複数の現像装置位置決め部を備えることを特徴とする請求項１または２に記載の画像形成装置。
【請求項４】
前記現像装置は、前記像担持体を回転支持する軸部を有し、前記現像装置位置決め部は、前記一対の側板部に設けられた一対の軸受け部であり、前記軸部が前記一対の軸受け部に嵌合することにより前記現像装置が前記枠体に対して位置決めされることを特徴とする
請求項３に記載の画像形成装置。
【請求項５】
前記枠体は、前記一対の側板部と前記連結部とが、略直交し、かつ、一体的に構成されることを特徴とする請求項３または４に記載の画像形成装置。
【請求項６】
前記連結部は、前記露光装置を前記複数の像担持体に対して所定の位置に配置するための露光装置位置決め部を備えることを特徴とする請求項３乃至５のいずれか１項に記載の画像形成装置。
【請求項７】
前記複数の像担持体上に現像されたトナー像を順次転写して重ね合わせ、重ね合わせた画像を転写材に一括転写する中間転写体を更に有し、
前記一対の側板部は、前記中間転写体を前記複数の像担持体に対して所定の位置に配置するための転写体位置決め部を備えることを特徴とする請求項３乃至６のいずれか１項に記載の画像形成装置。
【請求項８】
前記一対の側板部は、前記中間転写体の駆動ローラを回転支持する第１の軸部と、前記中間転写体の従動ローラを回転支持する第２の軸部とを有し、前記転写体位置決め部は、前記一対の側板部に設けられた一対の第１軸受け部と一対の第２軸受け部とを有し、前記第１の軸部が前記一対の第１軸受け部に嵌合し、前記第２の軸部が前記一対の第２軸受け部に嵌合することにより前記中間転写体が前記枠体に対して位置決めされることを特徴とする請求項７に記載の画像形成装置。
【請求項９】
前記複数の像担持体上に現像されたトナー像を、静電吸着により担持された転写材上に順次転写して重ね合わせる静電転写体を更に有し、
前記一対の側板部は、前記静電転写体を前記複数の像担持体に対して所定の位置に配置するための転写体位置決め部を備えることを特徴とする請求項３乃至６のいずれか１項に記載の画像形成装置。
【請求項１０】
前記一対の側板部は、前記静電転写体の駆動ローラを回転支持する第１の軸部と、前記静電転写体の従動ローラを回転支持する第２の軸部とを有し、前記転写体位置決め部は、前記一対の側板部に設けられた一対の第１軸受け部と一対の第２軸受け部とを有し、前記第１の軸部が前記一対の第１軸受け部に嵌合し、前記第２の軸部が前記一対の第２軸受け部に嵌合することにより前記静電転写体が前記枠体に対して位置決めされることを特徴とする請求項９に記載の画像形成装置。
【手続補正２】
【補正対象書類名】明細書
【補正対象項目名】００１２
【補正方法】変更
【補正の内容】
【００１２】
【課題を解決するための手段】
上記目的を達成するために本発明にあっては、
光源から出射したレーザ光を反射するポリゴンミラーと、前記ポリゴンミラーにより反射された光の進行方向を変化させる折り返しミラーと、前記ポリゴンミラーと前記折り返しミラーとを有するスキャナユニットと、前記スキャナユニットを複数備える露光装置と、
前記露光装置から出射した複数の光がそれぞれ照射する複数の像担持体と、を有し、前記複数の像担持体が同一の鉛直面上に配列される画像形成装置において、
前記複数のポリゴンミラーと前記複数の折り返しミラーとが、前記複数の像担持体が配列される鉛直面と平行な同一の面上に配置されることを特徴とする。
【手続補正３】
【補正対象書類名】明細書
【補正対象項目名】００１４
【補正方法】変更
【補正の内容】
【００１４】
あるいは、他の実施形態として、
複数の光源から出射した複数の光をそれぞれ異なる方向へ反射する１つのポリゴンミラーと、前記１つのポリゴンミラーにより反射された光の進行方向をそれぞれ変化させる複数の折り返しミラーと、前記１つのポリゴンミラーと前記複数の折り返しミラーとを有するスキャナユニットと、前記スキャナユニットを２つ備える露光装置と、前記露光装置から出射した複数の光がそれぞれ照射する複数の像担持体とを有し、前記複数の像担持体が同一の鉛直面上に配列される画像形成装置において、
前記２つのスキャナユニットに備えられた前記ポリゴンミラーと前記複数の折り返しミラーとは、前記複数の像担持体が配列される鉛直面と平行な同一の面上に配置されることを特徴とする。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１９
【補正方法】変更
【補正の内容】
【００１９】
前記複数の像担持体を有する複数の現像装置と、前記露光装置と前記複数の現像装置とが取り付けられる枠体とを更に有し、
前記枠体は、互いが平行に配置された一対の側板部と前記一対の側板部を連結する連結部とにより構成され、
前記一対の側板部は、前記複数の現像装置を鉛直方向において等間隔に配置するための複数の現像装置位置決め部を備えるとよい。
【手続補正７】
【補正対象書類名】明細書
【補正対象項目名】００２１
【補正方法】変更
【補正の内容】
【００２１】
前記現像装置は、前記像担持体を回転支持する軸部を有し、前記現像装置位置決め部は、前記一対の側板部に設けられた一対の軸受け部であり、前記軸部が前記一対の軸受け部に嵌合することにより前記現像装置が前記枠体に対して位置決めされるとよい。
【手続補正８】
【補正対象書類名】明細書
【補正対象項目名】００２２
【補正方法】変更
【補正の内容】
【００２２】
前記枠体は、前記一対の側板部と前記連結部とが、略直交し、かつ、一体的に構成されるとよい。
【手続補正９】
【補正対象書類名】明細書
【補正対象項目名】００２４
【補正方法】変更
【補正の内容】
【００２４】
前記連結部は、前記露光装置を前記複数の像担持体に対して所定の位置に配置するための露光装置位置決め部を備えるとよい。
【手続補正１０】
【補正対象書類名】明細書
【補正対象項目名】００２５
【補正方法】変更
【補正の内容】
【００２５】
前記複数の像担持体上に現像されたトナー像を順次転写して重ね合わせ、重ね合わせた画像を転写材に一括転写する中間転写体を更に有し、
前記一対の側板部は、前記中間転写体を前記複数の像担持体に対して所定の位置に配置するための転写体位置決め部を備えるとよい。
【手続補正１１】
【補正対象書類名】明細書
【補正対象項目名】００２６
【補正方法】変更
【補正の内容】
【００２６】
前記複数の像担持体上に現像されたトナー像を、静電吸着により担持された転写材上に順次転写して重ね合わせる静電転写体を更に有し、
前記一対の側板部は、前記静電転写体を前記複数の像担持体に対して所定の位置に配置するための転写体位置決め部を備えるとよい。
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３１
【補正方法】変更
【補正の内容】
【００３１】
（第１の実施の形態）
図１〜図４を参照して、本実施の形態に係る画像形成装置について説明する。図１は、本発明の第１の実施の形態に係る画像形成装置の概略断面図である。図２は、中間転写体の位置決め機構（位置決め部）を説明するための画像形成装置の概略断面図である。
【手続補正１６】
【補正対象書類名】明細書
【補正対象項目名】００３５
【補正方法】変更
【補正の内容】
【００３５】
次に、図３、図４を参照して、現像装置や露光装置が取り付けられる画像形成装置の枠体について説明する。図３は、露光装置及び現像装置の位置決め機構（位置決め部）を説明するための枠体の斜視図である。図４は、枠体に現像装置を位置決め固定した状態の斜視図である。
【手続補正１７】
【補正対象書類名】明細書
【補正対象項目名】００３７
【補正方法】変更
【補正の内容】
【００３７】
カラー画像形成部を構成する各画像形成ユニット（現像装置４５）は、枠体であるメインフレーム１に取り付く形で構成される。メインフレーム１は、互いが平行配置した左右側板部１Ａ，１Ｂ及び左右側板部１Ａ，１Ｂに対して略直交に配置した中間結合部１Ｃ（連結部）からなるコの字形状の板金部材により構成される。